(57)【要約】静粛性を高めることができるヘッドアップディスプレイ装置を提供する。ヘッドアップディスプレイ装置は、表示光を出射する表示パネル１４と、表示パネル１４に向けて風を送る送風部の一例であるファン１１と、ファン１１及び表示パネル１４を外部から閉じた空間に収容する筐体と、を備える。この構成によれば、ファン１１が筐体により閉じられた空間に位置する。このため、ファン１１の動作音がヘッドアップディスプレイ装置の外部に漏れることが抑制される。従って、ヘッドアップディスプレイ装置における静粛性を高めることができる。
2020085160.tif 000002
【特許請求の範囲】
【請求項１】
表示光を出射する表示パネルと、
前記表示パネルに向けて風を送る送風部と、
前記送風部及び前記表示パネルを外部から閉じた空間に収容する筐体と、を備える、
ヘッドアップディスプレイ装置。
【請求項２】
前記送風部は、ブロア型のファンであり、前記表示パネルの面方向に沿うように風を送る、
請求項１に記載のヘッドアップディスプレイ装置。
【請求項３】
前記表示パネルが設置される表示パネル設置部、及び前記表示パネル設置部の側方に位置し前記送風部を収容するファン収容部を有するホルダーを備える、
請求項１又は２に記載のヘッドアップディスプレイ装置。
【請求項４】
前記送風部は、風を吹き出す吹出部と、外部から空気を取り込む吸入部と、を備え、
前記ファン収容部は、前記吹出部と前記吸入部の間の空気の流れを遮断する逆流防止壁部を備える、
請求項３に記載のヘッドアップディスプレイ装置。
【請求項５】
前記表示パネル設置部は、前記表示パネル設置部との間で前記送風部からの風が通過する隙間を形成した状態で前記表示パネルを支持する表示パネル支持部を備える、
請求項３又は４に記載のヘッドアップディスプレイ装置。
【請求項６】
前記表示パネル及び前記送風部を制御する制御基板と、
前記表示パネル及び前記送風部と前記制御基板の間に接続される中継基板と、
前記表示パネル設置部との間で前記表示パネルの外周を挟み込む表示パネルカバー部、及び前記ファン収容部に沿うように位置し前記中継基板が設置される中継基板設置部を有するカバーと、を備える、
請求項３から５の何れか１項に記載のヘッドアップディスプレイ装置。
【発明の詳細な説明】
【技術分野】
【０００１】
本発明は、ヘッドアップディスプレイ装置に関する。
【背景技術】
【０００２】
従来から、表示光をフロントガラス等の被投射部材に照射することにより虚像を表示するヘッドアップディスプレイ装置が知られている。例えば、特許文献１に記載のヘッドアップディスプレイ装置は、液晶表示パネルと、液晶表示パネルを照明する発光素子と、送風手段と、送風手段、液晶表示パネル及び発光素子を保持する通風ダクトと、通風ダクトの吸気口及び排気口に設けられる防塵フィルタと、を備える。送風手段が動作すると、冷却風は、通風ダクトの吸気口から取り込まれ、液晶表示パネル及び発光素子を冷却し、通風ダクトの排気口から排出される。
【先行技術文献】
【特許文献】
【０００３】
【特許文献１】特開２０１０−１３４０５８号公報
【発明の概要】
【発明が解決しようとする課題】
【０００４】
上記特許文献１の構成においては、通風ダクトには吸気口及び排気口が形成されるため、送風手段の動作音が防塵フィルタを通過して吸気口及び排気口から外部に漏れやすい。よって、送風手段の動作時の静粛性に改善の余地があった。【０００５】
本発明は、上記実状を鑑みてなされたものであり、静粛性を高めることができるヘッドアップディスプレイ装置を提供することを目的とする。
【課題を解決するための手段】
【０００６】
上記目的を達成するため、本発明の観点に係るヘッドアップディスプレイ装置は、表示光を出射する表示パネルと、前記表示パネルに向けて風を送る送風部と、前記送風部及び前記表示パネルを外部から閉じた空間に収容する筐体と、を備える。
【発明の効果】
【０００７】
本発明によれば、ヘッドアップディスプレイ装置において、静粛性を高めることができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の概略図である。
【図３】本発明の一実施形態に係る表示部の分解斜視図である。
【図４】本発明の一実施形態に係る表示部の断面図である。
【図５】本発明の一実施形態に係る表示部の断面図である。
【図６】本発明の一実施形態に係るホルダー及びファンの分解斜視図である。
【図７】本発明の一実施形態に係るホルダー及びファンの一部を拡大した斜視図である。
【図８】本発明の一実施形態に係る表示部及び制御基板等の斜視図である。
【図９】本発明の一実施形態に係るカバーの斜視図である。
【発明を実施するための形態】
【０００９】
本発明に係るヘッドアップディスプレイ装置の一実施形態について、図面を参照して説明する。
【００１０】
図１に示すように、ヘッドアップディスプレイ装置１００は、車両２００のダッシュボード内に設置される。ヘッドアップディスプレイ装置１００は、車両２００の被投射部材の一例であるフロントガラス２０１に向けて像を表す表示光Ｌを出射する。表示光Ｌはフロントガラス２０１で反射して視認者１（主に車両２００の運転者）に到達する。これにより、虚像Ｖが視認者１により視認可能に表示される。
【００１１】
図２に示すように、ヘッドアップディスプレイ装置１００は、表示部１０と、平面鏡２０と、凹面鏡３０と、筐体６０と、制御基板７０と、を備える。
【００１２】
表示部１０は、制御基板７０による制御のもと、像を表す表示光Ｌを出射する。表示部１０の具体的な構成については後述する。
【００１３】
平面鏡２０は、表示部１０が出射した表示光Ｌを凹面鏡３０に向けて反射させる。凹面鏡３０は、平面鏡２０で反射した表示光Ｌをフロントガラス２０１に向けて拡大させつつ反射させる。
【００１４】
筐体６０は、非透光性の樹脂又は金属で形成されるとともに、中空の略直方体をなす。筐体６０は、表示部１０の後述するファン１１を囲むように形成される。筐体６０内には、ヘッドアップディスプレイ装置１００の各構成が収納されている。詳しくは、筐体６０は、上方向に向けて開口する箱状をなす下ケース６０ｂと、下ケース６０ｂの開口部を塞ぐ上ケース６０ａと、下ケース６０ｂ内に位置する中ケース６０ｃと、表示部１０の熱を放熱するヒートシンク６０ｄと、を備える。
【００１５】
上ケース６０ａには、フロントガラス２０１に対向する位置に開口部６１が形成されている。上ケース６０ａは、開口部６１を塞ぐ湾曲板状の窓部５０を備える。窓部５０は、表示光Ｌが透過するアクリル等の透光性の樹脂からなる。
【００１６】
下ケース６０ｂは、上方向に向けて開口した箱状をなす。下ケース６０ｂは、表示部１０が収容される孔からなる収容部６０ｂ１を有する。
中ケース６０ｃは、下ケース６０ｂ内に位置し、表示部１０から出射される表示光Ｌが通過する光出射孔６０ｃ１を有する。
【００１７】
ヒートシンク６０ｄは、表示部１０の後述する照明装置１８を囲むように下ケース６０ｂの収容部６０ｂ１に向けて開口した箱状をなす。図５に示すように、ヒートシンク６０ｄは、ヒートシンク６０ｄの外面に位置する板状の複数のフィン６０ｆと、表示部１０の後述するホルダー１２及びカバー１３から風が漏れ出す位置に設けられる追加フィン６０ｄ１，６０ｄ２と、を備える。追加フィン６０ｄ１，６０ｄ２は、ヒートシンク６０ｄの表面積を増やすように板状に形成される。追加フィン６０ｄ１はヒートシンク６０ｄの外部に位置し、追加フィン６０ｄ２はヒートシンク６０ｄの内部に位置する。追加フィン６０ｄ１，６０ｄ２は、ファン１１からの表示パネル１４を経た風に含まれる熱を吸収及び放出するように機能する。
【００１８】
図８に示すように、制御基板７０は、ＣＰＵ（Central Processing Unit)等の各種電子部品が実装されたプリント回路基板からなり、表示部１０を制御する。制御基板７０は、フレキシブルフラットケーブル１８ｂを介して表示部１０、正確には後述する中継基板１６に接続される。
【００１９】
次に、表示部１０の構成について説明する。
図３に示すように、表示部１０は、送風部の一例であるファン１１と、ホルダー１２と、カバー１３と、表示パネル１４と、拡散板１５と、中継基板１６と、照明装置１８と、を備える。
なお、以下の説明では、表示部１０の表示光Ｌを出射する光出射面を正面から見たときの方向に基づき、左右、上下、表裏が規定されている。図３〜図９においては、左はＬｆと略記され、右はＲｔと略記され、上はＵｐと略記され、下はＤｎと略記され、表はＦｒと略記され、裏はＢｋと略記される。また、左右方向はＸ方向と一致し、上下方向はＹ方向と一致し、表裏方向はＺ方向に一致する。
【００２０】
表示パネル１４は、制御基板７０により制御されるＴＦＴ（Thin Film Transistor）型の液晶表示パネルである。表示パネル１４は、照明装置１８からの光を受けて表示光Ｌを出射する。表示パネル１４は、表示パネル１４の外周を囲む枠状の金属製のベゼル１４ａを有する。
拡散板１５は、表示パネル１４の表面に位置し、長方形板状をなす。拡散板１５は表示パネル１４を経た光を拡散する。拡散板１５は、表示パネル１４との間にファン１１からの風が通る通風路を形成する。
【００２１】
図８に示すように、中継基板１６は、表示パネル１４と制御基板７０の間を中継するための基板である。中継基板１６は、フレキシブルフラットケーブル１８ｂを介して制御基板７０に接続され、図４に示すように、フレキシブルフラットケーブル１８ａを介して表示パネル１４に接続されている。
【００２２】
図３に示すように、ファン１１は、ブロア型のファンであり、プロペラ１１ｐの遠心方向に送風する。ファン１１は、図４に示すように、電力線１１ｃを介して中継基板１６に接続される。ファン１１は、中継基板１６を介して制御基板７０に接続され、制御基板７０による制御のもと駆動する。ファン１１は、表示パネル１４におけるフレキシブルフラットケーブル１８ａに近い端部に向けて風を吹き出す吹出部１１ａと、外部から空気を取り込む吸入部１１ｂと、を備える。図６及び図７に示すように、ファン１１は、ファン１１の外ケースにおける左右両側の縁部に形成されるつば部１１ｔを備える。ファン１１は、ホルダー１２のファン収容部１２ｂに収容され、表示パネル１４に向けて表示パネル１４の面方向に沿う風を送る。図２に示すように、ファン１１は、筐体６０により閉じられた空間に位置する。本例では、ファン１１は、ヒートシンク６０ｄ、上ケース６０ａ及び下ケース６０ｂにより形成される閉じた空間内に位置する。これにより、ファン１１の動作音が筐体６０の外部に漏れることが抑制される。また、ファン１１の上方が中ケース６０ｃにより覆われているため、中ケース６０ｃによってもファン１１の動作音が外部に伝わることが低減される。
【００２３】
図３に示すように、照明装置１８は、表示パネル１４の裏側に位置し、制御基板７０による制御のもと表示パネル１４を照明する。照明装置１８は、光を出射するＬＥＤ（Light Emitting Diode）と、ＬＥＤからの光を整えるコンデンサレンズ及びフィールドレンズ等の光学素子と、を備える。
【００２４】
図６に示すように、ホルダー１２は、表示パネル設置部１２ａと、ファン収容部１２ｂと、を備える。
表示パネル設置部１２ａは、長方形枠板状の支持板１２ａ１と、支持板１２ａ１の周縁部から裏側に延びる側壁１２ａ２と、を備える。表示パネル設置部１２ａの支持板１２ａ１には、表示パネル１４を支持する複数、本例では３つの表示パネル支持部１２ａ３が形成される。３つの表示パネル支持部１２ａ３は、それぞれ、支持板１２ａ１の右上角部、支持板１２ａ１の左上角部、及び支持板１２ａ１のＸ方向の中央の下部に配置される。表示パネル支持部１２ａ３は、先端が表示パネル１４のベゼル１４ａに向けて突出するＬ字状をなす。表示パネル支持部１２ａ３の表側の端部は、支持板１２ａ１の表面よりも表示パネル１４のベゼル１４ａに向けて突出している。このため、表示パネル支持部１２ａ３は、表示パネル１４と支持板１２ａ１の間に隙間Ｓ１（図４参照）を形成した状態で表示パネル１４を支持する。
また、図６に示すように、表示パネル設置部１２ａの側壁１２ａ２の外面には、複数、本例では４つのフック１２ａ４が設けられている。フック１２ａ４は、Ｕ字状をなし、カバー１３の後述する係止部１３ａ３（図３参照）に係止する。
【００２５】
図６に示すように、ファン収容部１２ｂは、ファン１１を収容可能に構成され、表示パネル設置部１２ａの側壁１２ａ２に設けられる。ファン収容部１２ｂは、側壁１２ａ２の上面に位置し、側壁１２ａ２から上方向に離れるにつれて裏側に近づくように傾斜している。
詳しくは、ファン収容部１２ｂは、ファン１１の側周囲を囲む枠部１２ｄと、ファン１１の下面に位置する底板部１２ｅと、逆流防止壁部１２ｃと、突起部１２ｂ２と、フック部１２ｂ３と、開口部１２ｂ４と、を備える。開口部１２ｂ４は、ファン収容部１２ｂの先端に位置し、ファン１１が挿入可能な孔を有する。底板部１２ｅには、ファン１１が空気を吸入可能となるように、ファン１１のプロペラ１１ｐに対向する範囲に孔が形成される。
【００２６】
逆流防止壁部１２ｃは、ファン収容部１２ｂ内のファン１１の上面にＸ方向に沿って延びる。逆流防止壁部１２ｃは、ファン１１の上面に沿う平板部１２ｃ１と、平板部１２ｃ１における表示パネル設置部１２ａの側壁１２ａ２に近い端部から延びる傾斜部１２ｃ２と、を備える。傾斜部１２ｃ２は、平板部１２ｃ１から離れるにつれて表側に近づくように傾斜する。図４に示すように、逆流防止壁部１２ｃは、ファン１１における吹出部１１ａと吸入部１１ｂの間の空気の流れを遮断する機能を有する。
【００２７】
図６に示すように、突起部１２ｂ２は、底板部１２ｅの内面におけるファン収容部１２ｂの基端側に位置する。本例では、突起部１２ｂ２は、底板部１２ｅの内面の左側及び表側に位置する。突起部１２ｂ２は、ファン収容部１２ｂの底板部１２ｅの内面から離れるにつれて側壁１２ａ２に向かうように斜めに延びる。図７に示すように、突起部１２ｂ２は、ファン１１のつば部１１ｔに当接することによりファン１１の位置を規制するストッパとして機能する。また、突起部１２ｂ２は、誤った向きでファン１１がファン収容部１２ｂへ組み付けられることを防止する機能を有する。
【００２８】
図６に示すように、フック部１２ｂ３は、開口部１２ｂ４の縁部に位置し、ファン収容部１２ｂの先端側に突出する。フック部１２ｂ３は、開口部１２ｂ４におけるＸ方向の中央に位置し、三角柱状をなす。フック部１２ｂ３は、ファン収容部１２ｂ内のファン１１に当接することにより、ファン収容部１２ｂ内にファン１１を保持する。
【００２９】
図３に示すように、カバー１３は、表示パネルカバー部１３ａと、中継基板設置部１３ｂと、を備える。表示パネルカバー部１３ａは、長方形枠板状の表板１３ａ１と、表板１３ａ１の周縁部から裏側に延びる側壁１３ａ２と、を備える。表板１３ａ１は、表示パネル１４のベゼル１４ａを覆うように形成される。図９に示すように、表示パネルカバー部１３ａの表板１３ａ１の内面には、表示パネル１４のベゼル１４ａに接触する複数、本例では３つの突部１３ｃが形成される。突部１３ｃは円板状をなす。３つの突部１３ｃは、それぞれ、表板１３ａ１の右上角部、表板１３ａ１の左上角部、及び表板１３ａ１のＸ方向の中央の下部に配置される。突部１３ｃは、表示パネル１４との間に風が通過可能な隙間Ｓ２（図４参照）を形成する。
【００３０】
図３に示すように、カバー１３における側壁１３ａ２の外面には、ホルダー１２のフック１２ａ４が係止する係止部１３ａ３が形成される。各フック１２ａ４が係止部１３ａ３に係止することにより、カバー１３は、ホルダー１２との間で表示パネル１４を挟み込んだ状態で、ホルダー１２に固定される。
【００３１】
中継基板設置部１３ｂは、表示パネルカバー部１３ａの側壁１３ａ２から離れるにつれて裏側に近づくように傾斜している。図４に示すように、中継基板設置部１３ｂは、ファン収容部１２ｂの上側においてファン収容部１２ｂと平行をなすように延びる。中継基板設置部１３ｂの上面には、中継基板１６が設置された状態でねじ止めされる。
【００３２】
次に、ファン１１が作動した際の作用について説明する。
図４に示すように、ファン１１が作動すると、矢印Ａ１，Ａ２，Ａ３に示すように、ファン１１の吸入部１１ｂにより空気が吸入される。そして、矢印Ａ４，Ａ５に示すように、ファン１１の吹出部１１ａから表示パネル１４の端部に向けて空気が吹き出される。ファン１１から吹き出された空気は、表示パネル１４の表面と裏面とに分かれ、それぞれ表示パネル１４の裏面とホルダー１２の隙間Ｓ１、及び表示パネル１４の表面とカバー１３の隙間Ｓ２を通る。表示パネル１４の両面を風が通ることにより、ファン１１による表示パネル１４の冷却効果を高めることができる。
また、隙間Ｓ２を通る風は、表示パネル１４と拡散板１５の間を通る。これにより、隙間Ｓ２を通る風が表側に逃げることが抑制され、表示パネル１４の冷却効果を高めることができる。
【００３３】
図５に示すように、隙間Ｓ１，Ｓ２を通過した風は、ホルダー１２とカバー１３のファン１１とは反対側の端部からホルダー１２とカバー１３の外部に出る。外部に出た風は追加フィン６０ｄ１，６０ｄ２の周辺に到達する。追加フィン６０ｄ１，６０ｄ２により、表示パネル１４から奪った熱を含んだ風が冷却され、表示部１０における温度上昇を抑制することができる。
【００３４】
次に、表示部１０の組み立て方法について説明する。
図６に示すように、ファン１１は、ファン収容部１２ｂの開口部１２ｂ４を介してファン収容部１２ｂ内に挿入される。そして、ファン１１のつば部１１ｔがファン収容部１２ｂの突起部１２ｂ２に接触する。これにより、ファン１１がファン収容部１２ｂ内で位置決めされる。このとき、ファン収容部１２ｂのフック部１２ｂ３によりファン１１がファン収容部１２ｂ内に保持される。
そして、図３に示すように、ホルダー１２の表示パネル設置部１２ａには表示パネル１４が設置される。そして、ホルダー１２のフック１２ａ４をカバー１３の係止部１３ａ３に係止させることにより、ホルダー１２にカバー１３が装着される。これで、ホルダー１２、カバー１３、ファン１１及び表示パネル１４からなる組み立て部品が完成する。この組み立て部品が照明装置１８に装着されることにより、表示部１０の組み立てが完了する。
【００３５】
（効果）
以上、説明した一実施形態によれば、以下の効果を奏する。
【００３６】
（１）ヘッドアップディスプレイ装置１００は、表示光Ｌを出射する表示パネル１４と、表示パネル１４に向けて風を送る送風部の一例であるファン１１と、ファン１１及び表示パネル１４を外部から閉じた空間に収容する筐体６０と、を備える。
この構成によれば、ファン１１が筐体６０により閉じられた空間に位置する。このため、ファン１１の動作音がヘッドアップディスプレイ装置１００の外部に漏れることが抑制される。従って、ヘッドアップディスプレイ装置１００における静粛性を高めることができる。
【００３７】
（２）ファン１１は、ブロア型のファンであり、表示パネル１４の面方向に沿うように風を送る。
この構成によれば、ファン１１から表示パネル１４の面方向に沿って風が送られる。よって、表示パネル１４の温度上昇を効率的に抑制することができる。
【００３８】
（３）ヘッドアップディスプレイ装置１００は、表示パネル１４が設置される表示パネル設置部１２ａ、及び表示パネル設置部１２ａの側方に位置しファン１１を収容するファン収容部１２ｂを有するホルダー１２を備える。
この構成によれば、ホルダー１２により表示パネル１４とファン１１が保持される。よって、ファン１１を表示パネル１４に近い位置に設けることができ、これにより、ファン１１による表示パネル１４の冷却効果を高めることができる。また、表示パネル１４とファン１１の組み付けが容易となる。
また、ファン収容部１２ｂは、表示パネル設置部１２ａに対してフレキシブルフラットケーブル１８ａが引き出される方向に位置する。よって、ホルダー１２とカバー１３の間のフレキシブルフラットケーブル１８ａが通る隙間をファン１１からの風が通る隙間として有効に利用することができる。
さらに、表示パネル設置部１２ａ及びファン収容部１２ｂは互いに異なる角度で接続されている。よって、表示部１０をよりコンパクトに構成することができる。
【００３９】
（４）ファン１１は、風を吹き出す吹出部１１ａと、外部から空気を取り込む吸入部１１ｂと、を備える。ファン収容部１２ｂは、吹出部１１ａと吸入部１１ｂの間の空気の流れを遮断する逆流防止壁部１２ｃを備える。
この構成によれば、逆流防止壁部１２ｃにより吹出部１１ａから吹き出された風が吸入部１１ｂから吸引されることが抑制される。これにより、ファン１１の送風能力の低下を抑制することができる。
【００４０】
（５）表示パネル設置部１２ａは、表示パネル設置部１２ａとの間でファン１１からの風が通過する隙間Ｓ１を形成した状態で表示パネル１４を支持する表示パネル支持部１２ａ３を備える。
この構成によれば、表示パネル１４と表示パネル支持部１２ａ３の間に隙間Ｓ１が形成される。このため、表示パネル１４の裏面に風がより確実に送られ、ファン１１による表示パネル１４の冷却効果を高めることができる。
【００４１】
（６）ヘッドアップディスプレイ装置１００は、表示パネル１４及びファン１１を制御する制御基板７０と、表示パネル１４及びファン１１と制御基板７０の間に接続される中継基板１６と、表示パネル設置部１２ａとの間で表示パネル１４の外周を挟み込む表示パネルカバー部１３ａ、及びファン収容部１２ｂに沿うように位置し中継基板１６が設置される中継基板設置部１３ｂを有するカバー１３と、を備える。
この構成によれば、ファン１１と中継基板１６が近い位置に設けられるため、ファン１１と中継基板１６を接続する電力線１１ｃを短くすることができる。よって、電力線１１ｃが発するノイズを低減することができる。また、ファン１１と中継基板１６の間の接続作業が容易となる。
【００４２】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００４３】
（変形例）
上記実施形態においては、拡散板１５は表示パネル１４の表面に位置していたが、表示パネル１４の裏面に位置していてもよい。
【００４４】
上記実施形態においては、ファン１１はブロア型のファンであったが、ブロア型以外のファンであってもよい。また、送風部は、ファン１１に限らず、例えば、コンプレッサであってもよい。
【００４５】
上記実施形態においては、ファン１１は、ホルダー１２のファン収容部１２ｂに収容されていたが、これに限らず、ホルダー１２とは別に、例えば、筐体６０、例えば下ケース６０ｂに固定されていてもよい。
【００４６】
上記実施形態においては、ファン収容部１２ｂは逆流防止壁部１２ｃを備えていたが、逆流防止壁部１２ｃは省略されてもよい。
【００４７】
上記実施形態においては、中継基板１６は、カバー１３の中継基板設置部１３ｂに設置されていたが、これに限らず、カバー１３とは別に、例えば、筐体６０、例えば下ケース６０ｂに固定されていてもよい。この場合、カバー１３の中継基板設置部１３ｂは省略されてもよい。
また、中継基板１６は省略されてもよい。この場合、ファン１１及び表示パネル１４は中継基板１６を介さずに直接に制御基板７０に接続される。
【００４８】
上記実施形態においては、表示パネル設置部１２ａは表示パネル支持部１２ａ３を備えていたが、表示パネル支持部１２ａ３は省略されてもよい。また、上記実施形態においては、カバー１３は突部１３ｃを備えていたが、突部１３ｃは省略されてもよい。
【００４９】
上記実施形態においては、表示部１０は、ＴＦＴ型の液晶表示パネルである表示パネル１４及び照明装置１８を備えていたが、これらに代えて、有機ＥＬ（Electro-Luminescence）表示パネルを備えていてもよい。
【００５０】
上記実施形態においては、表示パネル設置部１２ａ及びファン収容部１２ｂは互いに異なる角度で接続されていたが、表示パネル設置部１２ａ及びファン収容部１２ｂは互いに直線上に接続されていてもよい。
【００５１】
上記実施形態においては、ヘッドアップディスプレイ装置１００は車両２００に搭載されていたが、車両２００以外の飛行機、船等の乗り物に搭載されていてもよい。また、被投射部材はフロントガラスに限らず、専用のコンバイナであってもよい。
【符号の説明】
【００５２】
１０  表示部
１１  ファン
１１ａ  吹出部
１１ｂ  吸入部
１２  ホルダー
１２ａ  表示パネル設置部
１２ａ３  表示パネル支持部
１２ｂ  ファン収容部
１２ｃ  逆流防止壁部
１３  カバー
１３ａ  表示パネルカバー部
１３ｂ  中継基板設置部
１３ｃ  突部
１４  表示パネル
１５  拡散板
１６  中継基板
１８  照明装置
２０  平面鏡
３０  凹面鏡
５０  窓部
６０  筐体
６０ａ  上ケース
６０ｂ  下ケース
６０ｃ  中ケース
６０ｄ  ヒートシンク
６０ｄ１，６０ｄ２  追加フィン
７０  制御基板
１００  ヘッドアップディスプレイ装置
２００  車両
２０１  フロントガラス
Ｓ１，Ｓ２  隙間
【図１】
2020085160.tif 000003
【図２】
2020085160.tif 000004
【図３】
2020085160.tif 000005
【図４】
2020085160.tif 000006
【図５】
2020085160.tif 000007
【図６】
2020085160.tif 000008
【図７】
2020085160.tif 000009
【図８】
2020085160.tif 000010
【図９】
2020085160.tif 000011
【国際調査報告】
2020085160.tif 000012
2020085160.tif 000013
2020085160.tif 000014
2020085160.tif 000015